(57)【要約】【課題】画像処理装置で発生したエラーに関する文言を画像処理装置とそのクライアントの両方で表示する場合に、画像処理装置のファームウェアとクライアントのソフトウェアを共にアップデートすることなく画像処理装置とクライアントでそれぞれ表示されるエラーに関する文言を一致させることができる画像処理装置を提供すること。【解決手段】本発明の画像処理装置１は、原稿の画像データを読取る原稿読取部３と、その画像データをＬＡＮ Ｉ／Ｆ１２を介してクライアントＰＣ１４に転送する手段と、原稿読取部３において発生するエラーに関する文字列をエラーの種類毎に格納するＦｌａｓｈ ＲＯＭ９と、発生したエラーに関する文字列をＦｌａｓｈ ＲＯＭ９から読み出して液晶表示装置１５に表示させるとともにＬＡＮ Ｉ／Ｆ１２を介してクライアントＰＣ１４に転送する制御部２と、を備える。【選択図】      図１
2005277993.tif 000002
【特許請求の範囲】
【請求項１】
原稿の画像データを読取る画像読取手段と読取った原稿の画像データを所定のデータ転送インターフェースを介してクライアントに転送する転送手段とを備える画像処理装置において、
前記画像読取手段において発生するエラーに関する文字列をエラーの種類毎に格納する格納手段と、前記画像読取手段においてエラーが発生した場合に、発生したエラーに関する文字列を前記格納手段から読み出して自身の表示手段に表示させるとともに前記インターフェースを介して前記クライアントに転送する制御手段と、を備えることを特徴とする画像処理装置。
【請求項２】
クライアントから所定のデータ転送インターフェースを介して転送されたプリントデータの画像を用紙に記録する記録手段を備える画像処理装置において、
前記記録手段において発生するエラーに関する文字列をエラーの種類毎に格納する格納手段と、前記記録手段においてエラーが発生した場合に、発生したエラーに関する文字列を前記格納手段から読み出して自身の表示手段に表示させるとともに前記インターフェースを介して前記クライアントに転送する制御手段と、を備えることを特徴とする画像処理装置。
【請求項３】
前記制御手段は、前記格納手段から読み出した前記エラーに関する文字列が前記クライアントで表示すべき文字列であることを示すタグを用いて前記エラーに関する文字列を記述したＸＭＬ文書を作成し、前記エラーに関する文字列をＸＭＬ文書として前記クライアントに転送することを特徴とする請求項１又は２記載の画像処理装置。
【発明の詳細な説明】
【技術分野】
【０００１】
本発明は、画像処理装置に関し、詳しくはネットワークスキャナ機能やネットワークプリンタ機能などを備える画像処理装置に関するものである。
【背景技術】
【０００２】
近年、ＬＡＮ（Local Area Network）等を介して複数のクライアントＰＣ（Personal Computer）と接続される画像処理装置（複合機）の多くが、コピー機能やファクシミリ機能の他に、読取った原稿の画像データをクライアントＰＣに転送するネットワークスキャナ機能やクライアントＰＣから転送された画像データの画像を用紙に記録するネットワークプリンタ機能等を備えている。
【０００３】
このような複数の機能に加え、クライアントＰＣから個人アドレス帳を取得して表示部に表示し、ユーザが表示された個人アドレス帳の中から画像データの送信先を指定することができる、いわゆる個人アドレス帳機能を備えた複合機が特許文献１に開示されている。特許文献１の複合機３１は、図４に示すように、ＬＡＮ上のクライアントＰＣ３２から転送された個人アドレス帳３３とクライアントＰＣ３２が個人アドレス帳３３を自身のモニタに表示するための文字コードセット（Character Code Set）３４の番号（文字コード番号）３５を受信した場合に、その文字コード番号３５に対応する文字コードセット３６を使用して受信した個人アドレス帳３３を表示部に表示する。
【０００４】
したがって、クライアントＰＣ３２が使用する文字コードセット３４と複合機３１が通常使用する文字コードセットが異なる場合でも、複合機３１は文字コードセット３４と同じ文字コードセット３６を使用して文字化け等が生じることなくクライアントＰＣ３２から転送された個人アドレス帳３３を表示部に表示することができる。なお、複合機３１は、受信した文字コード番号３５に対応する文字コードセット３６を有していない場合には、例えばクライアントＰＣ３２から文字コードセット３４をダウンロードして記憶することにより、上記のように個人アドレス帳３３を適切に表示することが可能である。
【０００５】
ところで、図５に示すように、ＬＡＮを介してクライアントＰＣ（クライアント）３８と通信可能に接続された画像処理装置３９は、クライアントＰＣ３８に転送すべき原稿の画像データの読取中やクライアントＰＣ３８から転送された画像データの記録中にエラーが発生した場合、発生したエラーに関する文字列４０を読み出してその文言を表示部に表示させるとともに文字列４０に対応するエラーコード４１をクライアントＰＣ３８に転送する。そして、クライアントＰＣ３８では、受信したエラーコード４１に対応する文字列４２をメモリから読み出してその文言をモニタ上に表示することにより、画像処理装置３９とクライアントＰＣ３８の両方に画像処理装置３９で発生したエラーに関する文言が表示されるようになっている。
【特許文献１】特開２００３−２６３１４９号公報
【発明の開示】
【発明が解決しようとする課題】
【０００６】
しかしながら、文字列４０を含む画像処理装置３９のファームウェアと文字列４２を含むクライアントＰＣ３８のソフトウェアとが異なるプログラマによって作成されたものである場合、例えば「原稿が詰まりました」と「紙詰まりが発生しました」というように、同じエラーコード４１に対して画像処理装置３９とクライアントＰＣ３８で異なる文言が表示されることがある。したがって、画像処理装置３８とクライアントＰＣ４１で表示される文言を統一するために、場合によっては特許文献１の複合機３１のように、画像処理装置３９のファームウェアとクライアントＰＣ３８のソフトウェアの両方をアップデートしなければならないという問題がある。
【０００７】
また、画像処理装置３９にオプション装置を増設すること等により、画像処理装置３９において発生するエラーの種類が増えた場合にも、増えたエラーに関する文言を画像処理装置３９とクライアントＰＣ３８の両方で表示するために、上記と同様に画像処理装置３９のファームウェアとクライアントＰＣ３８のソフトウェアの両方をアップデートする必要があった。
【０００８】
本発明は、かかる課題に鑑みてなされたものであり、画像処理装置で発生したエラーに関する文言を画像処理装置とそのクライアントの両方で表示する場合に、画像処理装置のファームウェアとクライアントのソフトウェアを共にアップデートすることなく画像処理装置とクライアントでそれぞれ表示されるエラーに関する文言を一致させることができる画像処理装置を提供することを目的とする。
【課題を解決するための手段】
【０００９】
上記目的を達成するために、請求項１記載の画像処理装置は、原稿の画像データを読取る画像読取手段と読取った原稿の画像データを所定のデータ転送インターフェースを介してクライアントに転送する転送手段とを備える画像処理装置において、前記画像読取手段において発生するエラーに関する文字列をエラーの種類毎に格納する格納手段と、前記画像読取手段においてエラーが発生した場合に、発生したエラーに関する文字列を前記格納手段から読み出して自身の表示手段に表示させるとともに前記インターフェースを介して前記クライアントに転送する制御手段と、を備えることを特徴としている。
【００１０】
請求項２記載の画像処理装置は、クライアントから所定のデータ転送インターフェースを介して転送されたプリントデータの画像を用紙に記録する記録手段を備える画像処理装置において、前記記録手段において発生するエラーに関する文字列をエラーの種類毎に格納する格納手段と、前記記録手段においてエラーが発生した場合に、発生したエラーに関する文字列を前記格納手段から読み出して自身の表示手段に表示させるとともに前記インターフェースを介して前記クライアントに転送する制御手段と、を備えることを特徴としている。
【００１１】
請求項３記載の画像処理装置は、請求項１又は２に記載の画像処理装置において、前記制御手段は、前記格納手段から読み出した前記エラーに関する文字列が前記クライアントで表示すべき文字列であることを示すタグを用いて前記エラーに関する文字列を記述したＸＭＬ文書を作成し、前記エラーに関する文字列をＸＭＬ文書として前記クライアントに転送することを特徴としている。
【発明の効果】
【００１２】
請求項１に記載の画像処理装置によれば、画像読取手段でエラーが発生した場合に、画像処理装置のファームウェアとクライアントのソフトウェアを共にアップデートすることなく、自身の表示手段に表示されるエラーに関する文言とクライアントで表示されるエラーに関する文言を一致させることができる。
【００１３】
請求項２に記載の画像処理装置によれば、記録手段でエラーが発生した場合に、画像処理装置のファームウェアとクライアントのソフトウェアを共にアップデートすることなく、自身の表示手段に表示されるエラーに関する文言とクライアントで表示されるエラーに関する文言を一致させることができる。
【００１４】
請求項３に記載の画像処理装置によれば、請求項１又は２記載の画像処理装置の効果に加え、クライアントでは、画像処理装置から転送されたＸＭＬ文書のタグからそのＸＭＬ文書に記述されている文字列が表示すべき文字列であることを容易に判断して画像処理装置で発生したエラーに関する情報を自身のモニタに表示することができる。また、画像処理装置とクライアントで使用される文字コードセットが異なる場合でも、画像処理装置とクライアントで同じ文言を表示することができる。
【発明を実施するための最良の形態】
【００１５】
以下、本発明の実施の形態に係る画像処理装置について図面に基づき説明する。図１は、この画像処理装置１の構成例を示したブロック図である。画像処理装置１は、図示するように制御部（ＭＰＵ：Microprocessing Unit）２、原稿読取部３、コーデック（ＣＯＤＥＣ：Coder and Decoder）４、画像メモリ５、記録部６、操作部７、表示部８、Ｆｌａｓｈ ＲＯＭ（Read Only Memory）９、ＳＤＲＡＭ（Synchronous Dynamic Random Access Memory）１０、通信部１１、及びＬＡＮ Ｉ／Ｆ（Local Area Network Interface）１２を備えたものであって、各部２乃至１２は、バス１３によって通信可能に接続されている。
【００１６】
制御部２は、画像処理装置１の各部の動作を制御する。原稿読取部３は、コピーやクライアントＰＣ（クライアント）１４用の画像データの読取りを行うものであり、原稿の画像データを読取る画像読取手段として機能する。この原稿読取部３は、例えば自動原稿給送部（ＡＤＦ：Automatic Document Feeder）、フラットベッド読取部（ＦＢＳ：Flat Bed Scanner）を備えており、ＣＣＤ（Charge Coupled Device）により原稿の画像データを読取り、読取った画像データを所定の出力先に出力する。なお、図示していないが、この原稿読取部３には画像処理回路が設けられており、読取られた原稿の画像データはこの画像処理回路においてＡ／Ｄ変換、シェーディング補正等の画像処理が施された後、所定の出力先に出力される。
【００１７】
コーデック４は、画像データの符号化（エンコード）及び復号（デコード）を行うものである。すなわち、原稿読取部３で読取られた原稿の画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。また、コンピュータで一般的に使用される画像フォーマットであるＴＩＦＦ（Tagged Image File Format）形式やＰＤＦ（Portable Document Format）形式にも対応して画データを符号化、又は復号する。画像メモリ５は、コーデック４において符号化された画像データ、原稿読取部３から直接出力された画像データ、クライアントＰＣ１４から転送されたプリントデータ等を格納する。
【００１８】
記録部６は、画像メモリ５から読み出された画像データの画像を所定の用紙に記録するものであり、クライアントＰＣ１４からＬＡＮ Ｉ／Ｆ１２を介して転送されたプリントデータの画像を用紙に記録する記録手段として機能する。この記録部６における記録方式としては、例えば、電子写真方式やインクジェット記録方式等の各種の記録方式を用いることができる。
【００１９】
操作部７は、原稿読取部３に原稿の読取開始を指示するためのスタートキー、コピー部数等を入力するためのテンキー、各種設定を行うためのカーソルキーなど、表示部８と連動した各種操作キーを備えている。表示部８は、各種の設定画面や画像処理装置１の動作状態などを文字や図形などで表示する液晶表示装置（ＬＣＤ：Liquid Crystal Display）１５や、点灯又は消灯で表示するＬＥＤランプ１６などを備えている。液晶表示装置１５は、原稿読取部３又は記録部６においてエラーが発生した際に、発生したエラーに関する文字列１７を表示するものであり、表示手段として機能する。
【００２０】
Ｆｌａｓｈ ＲＯＭ９は、制御部２によりこの画像処理装置１の各部の動作が制御されるためのファームウェアを格納するフラッシュメモリである。このＦｌａｓｈ ＲＯＭ９に記憶されているファームウェアには、画像処理装置１を起動させるための基本プログラムや画像処理装置１の各部の処理動作を制御するための制御プログラムの他に、文字列１７が含まれている。ここで、文字列１７は、クライアントＰＣ１４に転送すべき原稿の画像データを読取る際に原稿読取部３においてエラーが発生した場合、クライアントＰＣ１４から転送された画像データの画像を用紙に記録する際に記録部６においてエラーが発生した場合に、表示部８の液晶表示装置１５に表示されるとともにクライアントＰＣ１４に転送されるものであり、エラーの種類毎にそれぞれ異なる文字列１７がこのＦｌａｓｈ ＲＯＭ９に格納されている。したがって、Ｆｌａｓｈ ＲＯＭ９は、原稿読取部３において発生するエラーに関する文字列１７をエラーの種類毎に格納する格納手段として機能する。また、上記のように、Ｆｌａｓｈ ＲＯＭ９は記録部６において発生するエラーに関する文字列１７についてもエラーの種類毎に格納している。
【００２１】
また、このＦｌａｓｈ ＲＯＭ９に格納されている文字列１７はテキスト形式のデータであり、原稿読取部３又は記録部６においてエラーが発生した場合に、ＬＡＮ Ｉ／Ｆ（データ転送インターフェース）１２を介して転送手段として機能する制御部２によってクライアントＰＣ１４に転送される。制御部２は、例えばクライアントＰＣ１４に転送すべき原稿の画像データの読取中に原稿ジャムが発生した場合、原稿ジャムに対応する文字列１７をＦｌａｓｈ ＲＯＭ９から読み出して表示部８の液晶表示装置１５に表示させるとともにＬＡＮ Ｉ／Ｆ１２を介してクライアントＰＣ１４に転送する。すなわち、制御部２は、原稿読取部３においてエラーが発生した場合に、発生したエラーに関する文字列１７をＦｌａｓｈ ＲＯＭ９から読み出して自身の表示手段（液晶表示装置１５）に表示させるとともにＬＡＮ Ｉ／Ｆ１２を介してクライアントＰＣ１４に転送する制御手段として機能する。
【００２２】
なお、その際、制御部２はＦｌａｓｈ ＲＯＭ９から読み出したエラーに関する文字列１７がクライアントＰＣ１４で表示すべき文字列であることを示すタグ（ｔａｇ）を用いてエラーに関する文字列１７を記述したＸＭＬ（Extensible Markup Language）文書を作成し、エラーに関する文字列１７をＸＭＬ文書としてクライアントＰＣ１４に転送する。具体的には、Ｆｌａｓｈ ＲＯＭ９から読み出したエラーに関する文字列１７がクライアントＰＣ１４で表示すべき文字列であることを示す「＜ＥＲＲＯＲＷＯＲＤＩＮＧ＞」という開始タグと「＜／ＥＲＲＯＲＷＯＲＤＩＮＧ＞」という終了タグで文字列１７を挟み込んだＸＭＬ文書を作成し、その作成したＸＭＬ文書をＬＡＮ Ｉ／Ｆ１２を介してクライアントＰＣ１４に転送する。例えば、原稿ジャムの場合、「＜ＥＲＲＯＲＷＯＲＤＩＮＧ＞原稿が詰まりました＜／ＥＲＲＯＲＷＯＲＤＩＮＧ＞」のような文字列１７のＸＭＬ文書がクライアントＰＣ１４に転送される。
【００２３】
また、制御部２は、例えばクライアントＰＣ１４から転送されたプリントデータの記録中に用紙がなくなった場合、用紙切れに対応する文字列１７をＦｌａｓｈ ＲＯＭ９から読み出して表示部８の液晶表示装置１５に表示させるとともにＬＡＮ Ｉ／Ｆ１２を介してクライアントＰＣ１４に転送する。すなわち、制御手段として機能する制御部２は、記録部６においてエラーが発生した場合に、発生したエラーに関する文字列１７をＦｌａｓｈ ＲＯＭ９から読み出して液晶表示装置１５に表示させるとともにＬＡＮ Ｉ／Ｆ１２を介してクライアントＰＣ１４に転送する。なお、ここでもエラーに関する文字列１７は、上記の原稿ジャムが発生した場合と同様にＸＭＬ文書として転送され、例えば「＜ＥＲＲＯＲＷＯＲＤＩＮＧ＞用紙を補給して下さい＜／ＥＲＲＯＲＷＯＲＤＩＮＧ＞」のような文字列１７のＸＭＬ文書がクライアントＰＣ１４に転送される。
【００２４】
なお、このＦｌａｓｈ ＲＯＭ９の文字列１７は、画像処理装置１のシステム起動時に制御プログラムなどとともにＦｌａｓｈ ＲＯＭ９からＳＤＲＡＭ１０にロードされるようになっており、実際にはＦｌａｓｈ ＲＯＭ９から読み出された文字列１７が一旦ＳＤＲＡＭ１０に格納され、エラー発生時にＳＤＲＡＭ１０から読み出されて液晶表示装置１５に表示、クライアントＰＣ１４に転送されるようになっている。
【００２５】
また、文字列１７のＸＭＬ文書を作成せず、例えば文字列１７のデータと該文字列１７をクライアントＰＣ１４で表示させるためのコマンドとを画像処理装置１からクライアントＰＣ１４に転送することも可能であるが、ＸＭＬ文書を使用した場合、クライアントＰＣ１４は、受信したＸＭＬ文書のタグから記述されている文字列１７が画像処理装置１において発生したエラーに関する文言であり、自身がモニタ上に表示すべき文字列であると容易に判断することができるため、ＸＭＬ文書として転送する方が好適である。
【００２６】
ＳＤＲＡＭ１０は、制御部２の主メモリ、ワークエリア等として機能し、画像処理装置１の処理動作に用いる設定情報や動作情報等の各種データを読出し及び書込み可能な状態で格納するとともに、Ｆｌａｓｈ ＲＯＭ９からロードされたデータを格納する。制御部２は、システム起動時に、Ｆｌａｓｈ ＲＯＭ９の基本プログラムに従ってＦｌａｓｈ ＲＯＭ９に格納されているプログラムや文字列１７をＳＤＲＡＭ１０の所定領域にロードし、ロードしたプログラムを必要に応じて実行することにより、原稿の画像データを読取ってクライアントＰＣ１４に転送したり、クライアントＰＣ１４から転送されたプリントデータの画像を記録部６において用紙に記録することができる。
【００２７】
通信部１１は、モデム１８及びＮＣＵ（Network Control Unit）１９を備えている。モデム１８は、例えばＩＴＵ−Ｔ（国際電気通信連合電気通信標準化部門）の勧告Ｖ．３４規格又はこれと同様のものに従った送受信データの変調及び復調を行うものである。ＮＣＵ１９は、電話回線を制御して電話をかけたり、切ったりする回線網制御装置であり、ＰＳＴＮ（Public Switched Telephone Network）２０に接続されている。
【００２８】
ＬＡＮ Ｉ／Ｆ１２は、ＬＡＮ（Local Area Network）２１と画像処理装置１とを通信可能に接続するインターフェースである。ＬＡＮ２１には、クライアントＰＣ１４が設置されており、クライアントＰＣ１４から画像処理装置１が有する各種機能を利用することができるようになっている。このクライアントＰＣ１４と画像処理装置１は、共にＴＷＡＩＮ（Technology Without any Interested Name）に準拠した装置であり、クライアントＰＣ１４は、例えば、画像処理装置１が読取ったＴＩＦＦ形式の等の画像データを画像処理装置１から受信したり、自身が作成した文書等のプリントデータを画像処理装置１に転送して記録部６においてその画像を用紙に記録することができる。なお、クライアントＰＣ１４には、「＜ＥＲＲＯＲＷＯＲＤＩＮＧ＞」という開始タグと「＜／ＥＲＲＯＲＷＯＲＤＩＮＧ＞」という終了タグで挟み込まれた文字列のＸＭＬ文書が画像処理装置１で発生したエラーに関する文言を記述したものであり、前記文字列がモニタに表示すべきエラーメッセージ（文言）であるという情報が予め記憶されている。したがって、クライアントＰＣ１４は、画像処理装置１から受信したデータの中から上記のタグを使用して記述されたＸＭＬ文書を受信した場合に、そのタグで挟み込まれたＸＭＬ文書の文字列を自身のモニタ上に表示する。
【００２９】
上記構成を備える画像処理装置１は、原稿の画像データを読取ってその画像を用紙に記録するコピー機能、原稿の画像データを外部の装置との間でファクシミリ送受信するファクシミリ通信機能、読取った原稿の画像データをＬＡＮ Ｉ／Ｆ１２を介してクライアントＰＣ１４に転送するネットワークスキャナ機能、クライアントＰＣ１４からＬＡＮ Ｉ／Ｆ１２を介して転送されたプリントデータの画像を用紙に記録するネットワークプリンタ機能などを備えている。
【００３０】
以下、ネットワークスキャナ機能による原稿の読取り開始命令があった場合に、画像処理装置１において行われる処理動作について、図２に示すフローチャートに基づいて説明する。なお、以下のフローチャートに基づいて説明する画像処理装置１の処理動作は、Ｆｌａｓｈ ＲＯＭ９に格納されているファームウェアに基づいて制御部２の制御命令に従って行われるものである。
【００３１】
まず、制御部２は、原稿の読取り開始命令があったか否かを判断する（Ｓ１）。ここで、原稿の読取り開始命令は、原稿読取部３に原稿がセットされ、操作部７の操作キーにより読取った原稿の画像データを転送すべき転送先のクライアントＰＣ１４が指定されてスタートキーが押下されること、或いは、原稿読取部３に原稿がセットされ、クライアントＰＣ１４から読取開始を指示するためのＸＭＬ文書で作成された所定のコマンドを受信すること、のいずれかにより入力される。
【００３２】
そして、制御部２は、原稿の読取り開始命令があったと判断した場合（Ｓ１：ＹＥＳ）、原稿の読取りを開始できるか否かを判断する（Ｓ２）。具体的には、原稿サイズを検出できたか否か等を判断する。ここで、原稿の読取りを開始できると判断した場合には（Ｓ２：ＹＥＳ）、原稿の画像データを読取ってクライアントに転送する（Ｓ３）。具体的には、原稿読取部３は、自動原稿給送部の原稿トレイ又はフラットベッド読取部の原稿載置板上に載置された原稿の画像データを読取って出力し、コーデック４は原稿読取部３から出力された画像データを例えばＴＩＦＦ形式に対応して所定の符号化方式で符号化する。そして、制御部２は、コーデック４で処理された画像データを一旦画像メモリ５に格納し、ＬＡＮ Ｉ／Ｆ１２を介して転送先のクライアントＰＣ１４に順次転送する。
【００３３】
制御部２は、上記Ｓ３の処理を行うとともに、原稿読取部３において原稿ジャム等のエラーが発生したか否かを判断する（Ｓ４）。ここで、原稿読取部３においてエラーが発生していないと判断した場合には（Ｓ４：ＮＯ）、原稿の読取り動作及び転送処理、すなわちＳ３の処理動作が完了したか否かを判断し（Ｓ５）、完了していないと判断した場合には（Ｓ５：ＮＯ）、Ｓ３及びＳ４の処理動作を継続して行う。逆に、原稿の読取動作及び転送処理が完了したと判断した場合には（Ｓ５：ＹＥＳ）、処理を終了する。
【００３４】
一方、制御部２は、Ｓ２において原稿の読取りを開始できないと判断した場合（Ｓ２：ＮＯ）、又は原稿読取部３においてエラーが発生したと判断した場合（Ｓ４：ＹＥＳ）、発生したエラーの内容を判断し、発生したエラーに関する文字列１７を読出す（Ｓ６）。すなわち、システム起動時にＦｌａｓｈ ＲＯＭ９から読み出されてＳＤＲＡＭ１０の所定領域に格納されている文字列の中から発生したエラーに対応する文字列１７を読み出す。そして、読み出した文字列１７を液晶表示装置１５に表示させるとともに、読み出した文字列１７を「＜ＥＲＲＯＲＷＯＲＤＩＮＧ＞」の開始タグと「＜／ＥＲＲＯＲＷＯＲＤＩＮＧ＞」の終了タグで挟み込んでＸＭＬ文書としてＬＡＮ Ｉ／Ｆ１２を介してクライアントＰＣ１４に転送する（Ｓ７）。
【００３５】
これに対し、クライアントＰＣ１４は、画像処理装置１から受信したデータの中から「＜ＥＲＲＯＲＷＯＲＤＩＮＧ＞」の開始タグと「＜／ＥＲＲＯＲＷＯＲＤＩＮＧ＞」の終了タグを用いて記述されたＸＭＬ文書を受信したか否かを判断する。そして、上記のＸＭＬ文書を受信したと判断した場合には、＜ＥＲＲＯＲＷＯＲＤＩＮＧ＞と＜／ＥＲＲＯＲＷＯＲＤＩＮＧ＞で挟み込まれている文字列をモニタ上に表示する。
【００３６】
また、図３に示すように、制御部２は、ＬＡＮ２１上のクライアントＰＣ１４から転送されたプリントデータを受信したと判断した場合（Ｓ１１：ＹＥＳ）、記録動作を開始できるか否かを判断する（Ｓ１２）。具体的には、クライアントＰＣ１４から受信したプリントデータを記録すべき用紙が記録部６の給紙カセットにあるか否か等を判断する。ここで、記録動作を開始できると判断した場合には（Ｓ１２：ＹＥＳ）、受信したプリントデータの画像を用紙に記録する（Ｓ１３）。具体的には、受信したプリントデータを記録部６において処理可能な画像データに展開して記録部６においてその画像を用紙に記録する。
【００３７】
制御部２は、上記Ｓ１３の処理を行うとともに、記録部６において給紙ジャム等のエラーが発生したか否かを判断する（Ｓ１４）。ここで、記録部６においてエラーが発生していないと判断した場合には（Ｓ１４：ＮＯ）、記録動作、すなわちＳ１３の処理動作が完了したか否かを判断し（Ｓ１５）、完了していないと判断した場合には（Ｓ１５：ＮＯ）、Ｓ１３及びＳ１４の処理動作を継続して行う。逆に、記録動作が完了したと判断した場合には（Ｓ１５：ＹＥＳ）、処理を終了する。
【００３８】
一方、制御部２は、Ｓ１２において記録動作を開始できないと判断した場合（Ｓ１２：ＮＯ）、又は記録部６においてエラーが発生したと判断した場合（Ｓ１４：ＹＥＳ）、発生したエラーの内容を判断し、発生したエラーに関する文字列１７を読出す（Ｓ１６）。すなわち、システム起動時にＦｌａｓｈ ＲＯＭ９から読み出されてＳＤＲＡＭ１０の所定領域に格納されている文字列の中から発生したエラーに対応する文字列１７を読み出す。そして、読み出した文字列１７を液晶表示装置１５に表示させるとともに、読み出した文字列１７を「＜ＥＲＲＯＲＷＯＲＤＩＮＧ＞」の開始タグと「＜／ＥＲＲＯＲＷＯＲＤＩＮＧ＞」の終了タグで挟み込んでＸＭＬ文書としてＬＡＮ Ｉ／Ｆ１２を介してクライアントＰＣ１４に転送する（Ｓ１７）。
【００３９】
これに対し、クライアントＰＣ１４は、画像処理装置１から受信したデータの中から「＜ＥＲＲＯＲＷＯＲＤＩＮＧ＞」の開始タグと「＜／ＥＲＲＯＲＷＯＲＤＩＮＧ＞」の終了タグを用いて記述されたＸＭＬ文書を受信したか否かを判断する。そして、上記のＸＭＬ文書を受信したと判断した場合には、＜ＥＲＲＯＲＷＯＲＤＩＮＧ＞と＜／ＥＲＲＯＲＷＯＲＤＩＮＧ＞で挟み込まれている文字列をモニタ上に表示する。
【００４０】
以上の説明から明らかなように、本発明の実施の形態に係る画像処理装置１によれば、ネットワークスキャナ機能による原稿読取部３の読取り動作又はネットワークプリンタ機能による記録部６のプリントデータの記録動作が行われる際にエラーが発生した場合、発生したエラーに関する文字列１７を液晶表示装置１５に表示させるとともにクライアントＰＣ１４で表示すべきエラーメッセージであることを示すタグで挟み込んだ文字列１７のＸＭＬ文書をクライアントＰＣ１４に転送する。そして、クライアントＰＣ１４のモニタ上に液晶表示装置１５と同じ文字列１７が表示されるようになっている。したがって、液晶表示装置１５に表示される文言に対応するエラーコードをクライアントＰＣ１４に転送してそのエラーコードに対応する文字列をクライアントＰＣに表示させる従来の画像処理装置のように、画像処理装置１とクライアントＰＣ１４とで異なる文言が表示されるという問題が生じることがないという利点がある。
【００４１】
また、画像処理装置１は、文字列１７をＸＭＬ文書としてクライアントＰＣ１４に転送するので、クライアントＰＣ１４は、受信したＸＭＬ文書の内容と意味を容易に判断してエラーに関する文字列１７をモニタ上に表示することができ、画像処理装置１とクライアントＰＣ１４で使用される文字コードセットが異なる場合でも画像処理装置１とクライアントＰＣ１４で同じ文言を表示することができる。
【００４２】
また、クライアントＰＣ１４は、エラーコードを受信して該エラーコードに対応する文言をモニタ上に表示するのではなく、ＸＭＬ文書で作成された文字列１７を画像処理装置１から受信してそのまま表示するので、画像処理装置１にオプション装置を増設すること等により、画像処理装置１において発生するエラーの種類が増えた場合でも、クライアントＰＣ１４のソフトウェアのアップデートは必要なく、増えたエラーに対応する文字列１７を画像処理装置１のファームウェアに追加するだけで画像処理装置１とクライアントＰＣ１４で表示される文言を一致させることができる。
【００４３】
本実施の形態においては、画像処理装置１とクライアントＰＣ１４をＬＡＮ２１を介して接続した場合を例に挙げて説明したが、画像処理装置１で読取った画像データをクライアントＰＣ１４に転送したり、クライアントＰＣ１４から画像処理装置１にプリントデータを転送することができれば、接続手段はＬＡＮ２１に限定されない。その場合は例えば、ＬＡＮ Ｉ／Ｆ１２に代えてＵＳＢ（Universal Serial Bus）デバイスコントローラ、パラレルインターフェース等を装備して、ＵＳＢ、パラレル等を接続手段としてもよい。
【００４４】
なお、本実施の形態で示した画像処理装置１の構成は、本発明に係る画像処理装置の一態様にすぎず、本発明の要旨を逸脱しない範囲内で適宜設計変更できることは勿論であり、例えば、プリンタやスキャナ等の単独機としても実現可能である。
【産業上の利用可能性】
【００４５】
本発明は、例えば、エラーが発生した場合に、自装置及び自装置と通信可能に接続されたクライアントの両方でそのエラーの文言を表示することができる画像処理装置に適用可能である。
【図面の簡単な説明】
【００４６】
【図１】本発明の実施の形態に係る画像処理装置の構成例を示したブロック図である。
【図２】原稿の画像データを読取ってクライアントＰＣに転送する場合に、画像処理装置において行われる処理動作を示したフローチャートである。
【図３】クライアントＰＣから転送された画像データの画像を用紙に記録する場合に、画像処理装置において行われる処理動作を示したフローチャートである。
【図４】個人アドレス帳機能を備える従来の画像処理装置について説明するための概略図である。
【図５】エラーが発生した場合に、自身がエラーに関する文言を表示するとともに、その文言に対応するエラーコードを通信可能に接続されたクライアントに転送する従来の画像処理装置について説明するための概略図である。
【符号の説明】
【００４７】
１    画像処理装置
２    制御部（ＭＰＵ）
３    原稿読取部
６    記録部
９    Ｆｌａｓｈ ＲＯＭ
１２    ＬＡＮ Ｉ／Ｆ
１４    クライアントＰＣ
１５    液晶表示装置
１７    文字列
【図１】
2005277993.tif 000003
【図２】
2005277993.tif 000004
【図３】
2005277993.tif 000005
【図４】
2005277993.tif 000006
【図５】
2005277993.tif 000007